(57)【要約】【課題】保管時には土嚢袋内に水膨潤性吸水樹脂を入れた中材を挿入しておき、使用時にはたらい等の大きな容器を必要とせず、土嚢袋内に水道水を直接供給するだけで効率よく土嚢になる簡易吸水土嚢袋キット及びその使用方法を提供する。【解決手段】本発明の土嚢袋キットは、土嚢袋(1)と水膨潤性吸水樹脂を入れた中材(2)を含み、土嚢袋(1)の上部は、中材(2)を挿入しかつ内部に水を供給するための開口部(5)を除いて封止(4)されており、土嚢袋(1)の上部には少なくとも開口部(5)を縛るための紐(8,9)が固定されている。土嚢袋キットの使用方法は、土嚢袋(1)の開口部(5)から水膨潤性吸水樹脂を入れた中材(2)を土嚢袋(1)の内部に挿入しておき、開口部(5)から水道水を土嚢袋(1)内に供給し、その後紐(8,9)により開口部(5)より下の位置で縛る。【選択図】図１
2015214876.tif 000002
【特許請求の範囲】
【請求項１】
土嚢袋と、水膨潤性吸水樹脂を入れた中材を含む土嚢袋キットであって、
前記土嚢袋の上部は、前記中材を挿入しかつ内部に水を供給するための開口部を除いて封止されており、
前記土嚢袋の上部には少なくとも前記開口部を縛るための紐が固定されていることを特徴とする土嚢袋キット。
【請求項２】
前記土嚢袋は不織布又は織物である請求項１に記載の土嚢袋キット。
【請求項３】
前記中材は水溶性樹脂フィルム袋である請求項１又は２に記載の土嚢袋キット。
【請求項４】
前記土嚢袋の上部の開口部を除く部分は縫製により封止されており、前記開口部の大きさは平面から見て４〜１０ｃｍである請求項１〜３のいずれかに記載の土嚢袋キット。
【請求項５】
前記紐は前記土嚢袋の開口部を含む上部全体を周囲から縛れる長さを有する請求項１〜４のいずれかに記載の土嚢袋キット。
【請求項６】
前記土嚢袋に前記中材を挿入し内部に充填したときの重量が１０〜１５ｋｇである請求項１〜５のいずれかに記載の土嚢袋キット。
【請求項７】
請求項１〜６のいずれかに記載の土嚢袋キットの使用方法であって、土嚢袋の開口部から水膨潤性吸水樹脂を入れた中材を土嚢袋の内部に挿入しておき、前記開口部から水道水を土嚢袋内に供給し、その後紐により前記開口部より下の位置で縛ることを特徴とする土嚢袋キットの使用方法。
【発明の詳細な説明】
【技術分野】
【０００１】
本発明は土嚢袋キット及びその使用方法に関する。さらに詳しくは、土嚢袋内に水膨潤性吸水樹脂を入れた中材を挿入し、袋内に水を供給するだけで土嚢になる簡易吸水土嚢袋キット及びその使用方法に関する。
【背景技術】
【０００２】
通常土嚢は、袋内に土砂などを入れて袋の口を縛り、水災害などを防ぐために緊急時に応急的な措置として危険個所に配置される。しかし、都市部では土砂の調達や溜めておく場所の確保が難しく、土砂の詰め込み作業が重労働で時間がかかり、後処理の際に土砂を取り出すのに手間がかかるという問題がある。この問題を解決するため、土砂は使用せず、袋内に水膨潤性吸水樹脂を入れておき、使用時には袋ごと水に浸漬して前記樹脂を膨潤させ、土嚢にする提案がある。例えば特許文献１には、不織布等の土嚢袋の中に水膨潤性吸水樹脂を入れて開口部を縫製により閉じ、土嚢にする際にはたらいに水を満たしておき、この中に土嚢袋を浸漬して水膨潤性吸水樹脂に吸水させている（特許文献１）。特許文献２には、土嚢袋の内部に水膨潤性吸水樹脂を入れた小袋を固定しておき、土嚢袋を密閉にすることが提案されている。この土嚢袋は密閉されていることから、外部から水を浸漬させることが必要である。特許文献３には、土嚢袋の中に内袋を設け、この中に水膨潤性吸水樹脂を入れておき、外部から水を供給することにより、吸水後の土嚢袋の荷姿を整えることが提案されている。
【０００３】
しかし、従来の土嚢袋は、袋の外側から袋を構成する繊維基材を通して水膨潤性吸水樹脂に水を供給するために、たらい等の大きな容器に水を溜めて浸漬する必要があり、大きな容器を緊急時に準備できないという問題がある。
【先行技術文献】
【特許文献】
【０００４】
【特許文献１】特開２０１０−２５５３４６号公報
【特許文献２】特開２００３−２０１７０９号公報
【特許文献３】特開２００２−２６６３３０号公報
【発明の概要】
【発明が解決しようとする課題】
【０００５】
本発明は前記従来の問題を解決するため、保管時には土嚢袋内に水膨潤性吸水樹脂を入れた中材を挿入しておき、使用時にはたらい等の大きな容器を必要とせず、土嚢袋内に水道水を直接供給するだけで効率よく土嚢になる簡易吸水土嚢袋キット及びその使用方法を提供する。
【課題を解決するための手段】
【０００６】
本発明の土嚢袋キットは、土嚢袋と、水膨潤性吸水樹脂を入れた中材を含む土嚢袋キットであって、前記土嚢袋の上部は、前記中材を挿入しかつ内部に水を供給するための開口部を除いて封止されており、前記土嚢袋の上部には少なくとも前記開口部を縛るための紐が固定されていることを特徴とする。
【０００７】
本発明の土嚢袋キットの使用方法は、土嚢袋の開口部から水膨潤性吸水樹脂を入れた中材を土嚢袋の内部に挿入しておき、前記開口部から水道水を土嚢袋内に供給し、その後紐により前記開口部より下の位置で縛ることを特徴とする。
【発明の効果】
【０００８】
本発明の土嚢袋キットは、保管時には土嚢袋内に水膨潤性吸水樹脂を入れた中材を挿入しておき、使用時にはたらい等の大きな容器を必要とせず、土嚢袋内に水道水を直接供給するだけで効率よく土嚢になる簡易吸水土嚢袋キット及びその使用方法を提供できる。すなわち、水道水をホース等から土嚢袋の開口部から中に直接供給し、水膨潤性吸水樹脂を膨潤させ、紐により前記開口部より下の位置で縛ることにより、効率よく土嚢袋を作製できる。また、土嚢袋は開口部を除いて封止されているため、水を多量に供給し過ぎても袋形状を保つことができ、かつ内部の膨潤した吸水樹脂があふれる量を最小限に抑えることができる。さらに、土嚢袋キットは土嚢袋と水膨潤性吸水樹脂を入れた中材であるので、収納スペースは小さくて済み、長期保管も容易である。
【図面の簡単な説明】
【０００９】
【図１】図１は本発明の一実施例の土嚢袋と中材を模式的に示す平面図である。
【図２】図２は同、土嚢袋に水道からの水を供給する模式的説明図である。
【図３】図３は同、土嚢袋の上部を紐で縛って土嚢にしたときの模式的説明図である。
【図４】図４は本発明の一実施態様の土嚢袋の使用例を示す模式的説明図である。
【図５】図５は本発明の別の実施態様の土嚢袋の使用例を示す模式的説明図である。
【図６】図６は本発明のさらに別の実施態様の土嚢袋の使用例を示す模式的説明図である。
【発明を実施するための形態】
【００１０】
本発明の土嚢袋キットは、土嚢袋と、水膨潤性吸水樹脂を入れた中材と、土嚢袋の上部に固定されている紐を含む。土嚢袋の上部は、中材を挿入しかつ内部に水を供給するための開口部を除いて封止されている。この土嚢袋キットの使用方法は、保管時には土嚢袋内に水膨潤性吸水樹脂を入れた中材を挿入しておき、使用時には土嚢袋内に水道水を直接供給する。水道水を袋内に供給すると水膨潤性吸水樹脂は膨潤するので、紐により開口部より下の位置で縛ることにより、土嚢とすることができる。
【００１１】
前記のとおり、土嚢は、従来は袋の中に土砂を入れて作成していたが、水膨潤性吸水樹脂を使用しても、水災害を防ぐ目的において従来の土嚢と同じ作用効果を奏することから、本発明においても土嚢という用語を用いる。
【００１２】
土嚢袋の側地は不織布又は織物であるのが好ましい。不織布又は織物は、土嚢に必要な強度があり、適度な通気性もあり、水を溜めやすく、かつ土嚢として使用した後は数日後には水は抜け、乾燥させた後は一般ごみとして焼却などの廃棄ができる。
【００１３】
中材の袋は水溶性樹脂フィルム袋が好ましい。水溶性樹脂フィルム袋の中に水膨潤性吸水樹脂を入れておくと、液体の水と接触するだけで水溶性樹脂フィルム袋は溶解し、内部の水膨潤性吸水樹脂に水が吸収されて膨潤する。
【００１４】
土嚢袋の上部開口部を除く部分は縫製により封止されており、開口部の大きさは平面から見て４〜１０ｃｍであるのが好ましい。開口部の大きさが平面から見て４〜１０ｃｍであれば、中材を土嚢袋の内部に挿入し、水道水のパイプ入れて土嚢袋内に水を供給するのに便利であり、水を多量に供給し過ぎても袋形状を保つことができ、かつ内部の膨潤した吸水樹脂があふれる量を最小限に抑えることができる。
【００１５】
紐は土嚢袋の開口部を含む上部全体を周囲から縛れる長さを有するのが好ましい。紐によって開口部を縛れば内部の吸水樹脂が外にあふれ出ることはないが、袋の膨らみが少ない場合には開口部（吸水口）だけでなく、上部全体を周囲から縛ることにより、膨らんだ形状に整えることができる。
【００１６】
土嚢袋に水を供給し水膨潤性吸水樹脂を膨潤させたときの重量は１０〜１５ｋｇが好ましい。この程度の重量であれば作業性が良く、作業者への負担も少ない。
【００１７】
次に水膨潤性吸水樹脂について説明する。水膨潤性吸水樹脂は、一般的におむつ材料として使用されている吸水ゲル樹脂等を使用できる。一例として、架橋ポリアクリルアミドの部分加水分解物、架橋されたアクリル酸−アクリルアミド共重合体、架橋されたポリアクリル酸塩、架橋されたアクリル酸−アクリル酸エステル共重合体、架橋されたイソブチレン−無水マレイン酸共重合体、および架橋されたカルボン酸変性ポリビニルアルコール等である。この吸水樹脂の純水に対する吸水能は、５０〜１，０００ｍｌ／ｇ、好ましくは１００〜１，０００ｍｌ／ｇである。その他の水膨潤性吸水樹脂として、デンプンまたはセルロースと、カルボキシル基もしくはスルホン酸基を有する水溶性単量体および加水分解により水溶性となる単量体から選ばれる水溶性単量体と、架橋剤とを含む成分を重合させ、必要により加水分解を行うことにより得られる水不溶性吸水性樹脂であっても良い。この水不溶性吸水性樹脂は環境汚染の問題も少なく、廃棄後は土壌により生分解される。
【００１８】
吸水樹脂は乾燥状態で５０〜１５０ｇを水溶性樹脂フィルム袋に入れて土嚢袋に収納した状態で保管するのが好ましい。中材を土嚢袋に収納した状態で保管すれば、緊急時には土嚢袋を持ち出すだけで使用箇所にて使用できる。
【００１９】
土嚢袋の側地を構成する繊維はいかなる繊維であっても良い。具体的には、ポリエステル繊維、ポリプロピレン繊維、ビニロン繊維等がコストも安くて好ましい。それ以外の繊維であってもよく、ポリ塩化ビニル繊維、ポリ塩化ビニリデン繊維、モダアクリル繊維、全芳香族ポリエステル繊維、アクリル繊維、全芳香族ポリアミド繊維、ポリアミド繊維、ポリエチレン繊維、ポリスチレン繊維、ポリ乳酸、ノボロイド繊維、ポリフェニレンサルファイド繊維、ポリアリレート繊維、ポリベンズオキサゾール（ＰＢＯ）繊維、ポリケトン繊維、およびポリイミド繊維、ポリアミドイミド繊維、羊毛繊維、綿繊維、麻繊維、セルロース繊維、パルプ繊維等が使用できる。ポリ乳酸、羊毛繊維、綿繊維、麻繊維、セルロース繊維、パルプ繊維等の場合は、廃棄後は土壌により生分解される。
【００２０】
土嚢袋の側地は、不織布又は織物が好ましい。とくにコスト面からは不織布が好ましい。不織布はいかなるものであってもよく、カードウェブ不織布、エアレイ不織布、湿式不織布、スパンボンド不織布、フラッシュ紡糸不織布、メルトブロー不織布、ケミカルボンド不織布、サーマルボンド不織布、ニードルパンチ不織布、ウォータージェット不織布、ステッチボンド不織布、スパンレース不織布又はこれらを任意に組み合わせた不織布を使用できる。不織布又は織物の単位面積当たりの重量（目付）は８０〜３００ｇ／ｍ2が好ましく、さらに好ましくは９０〜２５０ｇ／ｍ2である。
【００２１】
土嚢袋の大きさは、水膨潤性吸水樹脂を膨潤させたときの重量で１０〜１５ｋｇ、好ましくは１１〜１４ｋｇとなる範囲であればいかなる大きさであっても良い。一例として縦６０ｃｍ，横４０ｃｍとする。
【００２２】
以下図面を用いて説明する。下記の図面において同一符号は同一物を示す。図１は本発明の一実施例の土嚢袋１と中材２を模式的に示す平面図である。この土嚢袋１の側地３の３辺７ａ，７ｂ，７ｃは縫製されて袋形状に形成されている。土嚢袋１の上辺から８ｃｍ下には開口部５を除いて縫製線４により封止されている。縫製線４の下には水の供給上限を示す注意線６が印刷されており、この線まで水を供給するのが好ましい。土嚢袋１の開口部５の近辺には紐８，９が縫製により側地３に固定されている。土嚢袋１の開口部５から水膨潤性吸水樹脂を入れた中材２を挿入した状態で保管する。
【００２３】
図２は土嚢袋１に水道から水を供給する模式的説明図である。水道１０にはパイプ１１がつながっており、パイプ１１の先を開口部５に入れて水を土嚢袋１内に供給する。水の供給速度にもよるが、３〜８分間で水膨潤性吸水樹脂を注意線６まで膨潤させる。
【００２４】
図３は土嚢袋１の上部を紐８，９で縛って土嚢にしたときの模式的説明図である。紐８，９によって開口部５を縛れば内部の吸水樹脂が外にあふれ出ることはないが、袋の膨らみが少ない場合には開口部（吸水口）５だけでなく、上部全体を周囲から縛ることにより、膨らんだ形状に整えることができる。紐８，９は縛りやすい綿糸（コットン糸）の紐が好ましい。
【００２５】
図４〜６は土嚢袋の使用例を示す模式的説明図である。図４は地下鉄などの地下への入り口周辺に土嚢袋を１段配列又は２〜３段に重ねて置き、流水を防止する例である。図５は家屋への浸水防止の例である。図６は河川の大水の侵入を防止するいわゆる回し水の例である。このほかにも応急的な水対策として土嚢袋を使用できる。
【実施例】
【００２６】
以下、実施例を用いてさらに具体的に説明する。なお、本発明は下記の実施例に限定されるものではない。
【００２７】
（実施例１）
（１）土嚢袋
ポリエステル（ポリエチレンテレフタレート）繊維を使用したスパンレース不織布（目付１７７ｇ／ｍ2）を図１に示す縦６０ｃｍ，横４０ｃｍの土嚢袋１に縫製した。この土嚢袋１の重さは紐も含めて５０ｇであった。上部には縫製線４を縫製によって形成し、開口部５を作製した。開口部５の長さは５ｃｍであった。
（２）中材
市販の水膨潤性吸水樹脂（チェーンストリーム社製、商品名"ＹＣＳ−３７１１５"）９０ｇをポリビニルアルコール製の水溶性樹脂フィルム袋に入れて中材２とした。この中材２は、土嚢袋１の開口部５から内部に挿入し、この状態で１０枚をポリエチレン袋に入れ、シリカゲルを同封して保管した。土嚢袋内には中材を入れてあるため、収納スペースは小さくて済み、長期保管も容易であった。また、使用時には土嚢袋を持ち出すだけで使用でき、便利であった。
（３）使用方法
土嚢袋１の使用方法は、図２に示すように開口部５から水道水を土嚢袋１内に供給し、その後紐８，９により開口部５より下の位置で縛った。紐８，９によって開口部５を縛れば内部の吸水樹脂が外にあふれ出ることはないが、袋の膨らみが少ない場合には開口部（吸水口）５だけでなく、上部全体を周囲から縛ることにより、膨らんだ形状に整えることができた。土嚢１個当たり水を供給する時間は５分間であり、土嚢１個当たりの重量は約１２ｋｇであった。この土嚢袋は開口部を除いて封止されているため、水を多量に供給し過ぎても袋形状を保つことができ、かつ内部の膨潤した吸水樹脂があふれる量を最小限に抑えることができた。得られた土嚢は図３に示すとおりであり、図４〜図６のように箇所で使用できた。この土嚢は３段まで積み重ねても壊れることはなかった。止水板等と併用することも効果があった。
（４）使用後の処理方法
土嚢として使用後、夏場は天日で４〜５日乾燥させ、一般ごみとして廃棄できた。冬場は乾燥に１〜２週間かかった。
【符号の説明】
【００２８】
１  土嚢袋
２  中材
３  側地
４  縫製線
５  開口部
６  注意線
７ａ，７ｂ，７ｃ  辺
８，９  紐
１０  水道
１１  パイプ
【図１】
2015214876.tif 000003
【図２】
2015214876.tif 000004
【図３】
2015214876.tif 000005
【図４】
2015214876.tif 000006
【図５】
2015214876.tif 000007
【図６】
2015214876.tif 000008
【手続補正書】
【提出日】平成26年10月17日(2014.10.17)
【手続補正１】
【補正対象書類名】特許請求の範囲
【補正対象項目名】全文
【補正方法】変更
【補正の内容】
【特許請求の範囲】
【請求項１】
土嚢袋と、水溶性樹脂フィルム袋に水膨潤性吸水樹脂を入れた中材を含む土嚢袋キットであって、
前記土嚢袋は３辺が縫製され上辺は開放部であり、前記上辺より下方の位置で、開口部を除いて縫製線により封止されており、
前記開口部は、前記中材を挿入しかつ内部に水道水を供給するために開口されており、
前記土嚢袋の上部には少なくとも前記開口部を縛るための紐が固定されていることを特徴とする土嚢袋キット。
【請求項２】
前記土嚢袋は不織布又は織物である請求項１に記載の土嚢袋キット。
【請求項３】
前記縫製線の下方には水の供給上限を示す注意線が印刷されている請求項１又は２に記載の土嚢袋キット。
【請求項４】
前記開口部の大きさは平面から見て４〜１０ｃｍである請求項１〜３のいずれかに記載の土嚢袋キット。
【請求項５】
前記紐は前記土嚢袋の開口部を含む上部全体を周囲から縛れる長さを有する請求項１〜４のいずれかに記載の土嚢袋キット。
【請求項６】
前記土嚢袋に前記中材を挿入し内部に充填したときの重量が１０〜１５ｋｇである請求項１〜５のいずれかに記載の土嚢袋キット。
【請求項７】
請求項１〜６のいずれかに記載の土嚢袋キットの使用方法であって、土嚢袋の開口部から水膨潤性吸水樹脂を入れた中材を土嚢袋の内部に挿入しておき、前記開口部から水道水を土嚢袋内に供給し、その後、紐により少なくとも前記開口部を縛ることを特徴とする土嚢袋キットの使用方法。
【手続補正２】
【補正対象書類名】明細書
【補正対象項目名】０００６
【補正方法】変更
【補正の内容】
【０００６】
本発明の土嚢袋キットは、土嚢袋と、水溶性樹脂フィルム袋に水膨潤性吸水樹脂を入れた中材を含む土嚢袋キットであって、前記土嚢袋は３辺が縫製され上辺は開放部であり、前記上辺より下方の位置で、開口部を除いて縫製線により封止されており、前記開口部は、前記中材を挿入しかつ内部に水道水を供給するために開口されており、前記土嚢袋の上部には少なくとも前記開口部を縛るための紐が固定されていることを特徴とする。
【手続補正３】
【補正対象書類名】明細書
【補正対象項目名】０００７
【補正方法】変更
【補正の内容】
【０００７】
本発明の土嚢袋キットの使用方法は、前記の土嚢袋キットの使用方法であって、土嚢袋の開口部から水膨潤性吸水樹脂を入れた中材を土嚢袋の内部に挿入しておき、前記開口部から水道水を土嚢袋内に供給し、その後、紐により少なくとも前記開口部を縛ることを特徴とする。